【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
液体を吐出する吐出口が形成された吐出口面を有する液体吐出手段と、
前記吐出口面に当接して前記吐出口面を覆うキャップ部材と、
前記液体吐出手段と前記キャップ部材とを当接、離間させる駆動モータと、
前記吐出口面と前記キャップ部材とで囲まれる空間を負圧状態にする負圧発生手段と、
を備えた液体吐出装置であって、
前記駆動モータの駆動負荷を検出する負荷検出手段と、
前記キャップ部材と前記液体吐出手段とを離間させる離間命令に応じて前記駆動モータに前記液体吐出手段と前記キャップ部材とを離間させる制御手段と、を備え、
前記制御手段が前記離間命令に応じて前記駆動モータを駆動させたときに前記負荷検出手段が検出した駆動負荷が所定の駆動負荷以上である場合は、前記制御手段は前記負圧発生手段により前記空間に負圧を発生させ、前記駆動モータを駆動させて前記液体吐出手段と前記キャップ部材とを離間させることを特徴とする液体吐出装置。
【請求項２】
前記制御手段は、前記液体吐出装置の電源投入時に、前記離間命令を受信することを特徴とする請求項１に記載の液体吐出装置。
【請求項３】
前記制御手段は、前記離間命令を受信し、かつ前記キャップ部材と前記液体吐出手段との当接状態が所定時間以上継続している場合は、前記空間を負圧状態とするように前記負圧発生手段を駆動させた後、前記駆動モータに前記液体吐出手段と前記キャップ部材とを離間させることを特徴とする請求項１または２に記載の液体吐出装置。
【請求項４】
前記制御手段が前記離間命令に応じて前記駆動モータを駆動させたときに前記負荷検出手段が検出した駆動負荷が前記所定の駆動負荷以上である場合は、前記制御手段は前記駆動モータの駆動を停止させた後に前記負圧発生手段に負圧を発生させ、その後前記駆動モータを駆動させることを特徴とする請求項１乃至３のいずれか１項に記載の液体吐出装置。
【請求項５】
前記制御手段が前記離間命令に応じて前記駆動モータを駆動させたときに前記負圧検出手段が検出した駆動負荷が前記所定の駆動負荷以上でない場合は、前記制御手段は前記負圧発生手段に負圧を発生させることなく、前記駆動モータを駆動して前記液体吐出手段と前記キャップ部材とを離間させることを特徴とする請求項１乃至４のいずれか１項に記載の液体吐出装置。
【請求項６】
前記制御手段は、前記空間を第１の負圧状態とした後に前記駆動モータを駆動させたときの前記駆動モータの駆動負荷が前記所定の駆動負荷以上である場合は、前記負圧発生手段を駆動させて前記第１の負圧より大きな第２の負圧を発生させた後、前記液体吐出手段と前記キャップ部材とを離間させることを特徴とする請求項１ないし４のいずれか１項に記載の液体吐出装置。
【請求項７】
前記空間の圧力を検出する圧力検出手段をさらに備え、
前記制御手段は、前記圧力検出手段の検出結果に基づき前記第１、第２の負圧を発生させるように前記負圧発生手段を制御することを特徴とする請求項５に記載の液体吐出装置。
【請求項８】
前記負荷検出手段は、前記駆動モータのＰＷＭ値に基づいて前記駆動モータの駆動負荷を検出することを特徴とする請求項１ないし６のいずれか１項に記載の液体吐出装置。
【請求項９】
液体を吐出する吐出口が形成された吐出口面を有する液体吐出手段と、
前記吐出口面に当接して前記吐出口面を覆うキャップ部材と、
前記液体吐出手段と前記キャップ部材とを当接、離間させる駆動モータと、を備えた液体吐出装置であって、
前記吐出口面と前記キャップ部材とで囲まれる空間を負圧状態にする負圧発生手段と、
前記キャップ部材と前記液体吐出手段とを離間させる離間命令に応じて前記駆動モータに前記液体吐出手段と前記キャップ部材とを離間させる制御手段と、を備え、
前記制御手段は、前記離間命令を受信し、かつ前記キャップ部材と前記液体吐出手段との当接状態が所定時間以上継続している場合は、前記空間を負圧状態とするように前記負圧発生手段を駆動させた後、前記駆動モータに前記液体吐出手段と前記キャップ部材とを離間させることを特徴とする液体吐出装置。
【請求項１０】
液体を吐出する吐出口が形成された吐出口面を有する液体吐出手段と、
前記吐出口面に当接して前記吐出口面を覆うキャップ部材と、
前記液体吐出手段と前記キャップ部材とを当接、離間させる駆動モータと、を備えた液体吐出装置であって、
前記吐出口面と前記キャップ部材とで囲まれる空間を負圧状態にする負圧発生手段と、
前記キャップ部材と前記液体吐出手段とを離間させる離間命令に応じて前記駆動モータに前記液体吐出手段と前記キャップ部材とを離間させる制御手段と、を備え、
前記制御手段は、前記離間命令に応じて前記駆動モータを駆動したときに、前記キャップ部材と前記液体吐出手段とが当接している場合には、前記負圧発生手段により前記空間に負圧を発生させて前記駆動モータを駆動することで前記液体吐出手段と前記キャップ部材とを離間させ、前記離間命令に応じて前記駆動モータを駆動した時に、前記キャップ部材と前記液体吐出手段とが離間している場合には、前記負圧発生手段により前記空間に負圧を発生させずに前記駆動モータを駆動して前記液体吐出手段と前記キャップ部材とを離間させることを特徴とする液体吐出装置。
【請求項１１】
液体を吐出する吐出口が形成された吐出口面を有する液体吐出手段と、
前記吐出口面に当接して前記吐出口面を覆うキャップ部材と、
前記液体吐出手段と前記キャップ部材とを当接、離間させる駆動モータと、
前記吐出口面と前記キャップ部材とで囲まれる空間に前記液体吐出手段から液体を排出させる液体排出手段と、
を備えた液体吐出装置であって、
前記駆動モータの駆動負荷を検出する負荷検出手段と、
前記キャップ部材と前記液体吐出手段とを離間させる離間命令に応じて前記駆動モータに前記液体吐出手段と前記キャップ部材とを離間させる制御手段と、を備え、
前記制御手段が前記離間命令に応じて前記駆動モータを駆動させたときに前記負荷検出手段が検出した駆動負荷が所定の駆動負荷以上である場合は、前記制御手段は前記液体排出手段によって前記液体吐出手段から液体を前記空間に排出させ、前記駆動モータを駆動させて前記液体吐出手段と前記キャップ部材とを離間させることを特徴とする液体吐出装置。
【請求項１２】
液体を吐出する吐出口が形成された吐出口面を有する液体吐出手段と、前記吐出口面に当接して前記吐出口面を覆うキャップ部材と、前記液体吐出手段と前記キャップ部材とを当接、離間させる駆動モータと、前記吐出口面と前記キャップ部材とで囲まれる空間を負圧状態にする負圧発生手段と、を備えた液体吐出装置の制御方法であって、
前記キャップ部材と前記液体吐出手段とを離間させる離間命令に応じて、前記駆動モータを駆動させたときに、前記駆動モータの駆動負荷が所定の駆動負荷以上である場合は、前記負圧発生手段により前記空間に負圧を発生させ、前記駆動モータを駆動させて前記液体吐出手段と前記キャップ部材とを離間させることを特徴とする制御方法。
【手続補正２】
【補正対象書類名】明細書
【補正対象項目名】０００６
【補正方法】変更
【補正の内容】
【０００６】
本発明は、液体を吐出する吐出口が形成された吐出口面を有する液体吐出手段と、
前記吐出口面に当接して前記吐出口面を覆うキャップ部材と、前記液体吐出手段と前記キャップ部材とを当接、離間させる駆動モータと、前記吐出口面と前記キャップ部材とで囲まれる空間を負圧状態にする負圧発生手段と、を備えた液体吐出装置であって、前記駆動モータの駆動負荷を検出する負荷検出手段と、前記キャップ部材と前記液体吐出手段とを離間させる離間命令に応じて前記駆動モータに前記液体吐出手段と前記キャップ部材とを離間させる制御手段と、を備え、前記制御手段が前記離間命令に応じて前記駆動モータを駆動させたときに前記負荷検出手段が検出した駆動負荷が所定の駆動負荷以上である場合は、前記制御手段は前記負圧発生手段により前記空間に負圧を発生させ、前記駆動モータを駆動させて前記液体吐出手段と前記キャップ部材とを離間させることを特徴とする。